(57)【要約】【課題】簡易な構造で用紙にインクを噴射しインクを定着させて高画像が得られるインクジェットプリンタを提供する。【解決手段】用紙にインクを噴射して画像を形成するインクジェットプリンタにおいて、前記用紙が外周面に保持された用紙保持ドラムを回転して用紙を搬送する用紙保持ドラム手段と、前記用紙保持ドラムの所定位置に前記用紙を保持する用紙保持手段と、前記用紙保持ドラムに保持された用紙にインクジェット記録ヘッドによりインクを噴射して画像を書き込む画像書込手段と、前記書き込まれた用紙のインクを定着させるインク定着手段と、定着した用紙を前記用紙保持ドラムより分離する用紙分離手段と、を備え、用紙に画像を形成することを特徴とするインクジェットプリンタ。【選択図】        図２
2004174742.tif 000002
【特許請求の範囲】
【請求項１】
用紙にインクを噴射して画像を形成するインクジェットプリンタにおいて、
前記用紙が外周面に保持された用紙保持ドラムを回転して用紙を搬送する用紙保持ドラム手段と、
前記用紙保持ドラムの所定位置に前記用紙を保持する用紙保持手段と、
前記用紙保持ドラムに保持された用紙にインクジェット記録ヘッドによりインクを噴射して画像を書き込む画像書込手段と、
前記書き込まれた用紙のインクを定着させるインク定着手段と、
定着した用紙を前記用紙保持ドラムより分離する用紙分離手段と、
を備え、用紙に画像を形成することを特徴とするインクジェットプリンタ。
【請求項２】
前記用紙保持手段は、用紙を前記用紙保持ドラムの外周面に静電により吸着して保持、または、用紙を前記用紙保持ドラムの外周面に設けた吸引穴より前記用紙を吸引して保持することを特徴とする請求項１に記載のインクジェットプリンタ。
【請求項３】
前記画像書込手段は、光硬化型のインクを用紙に噴射して画像を書き込むことを特徴とする請求項１又は２に記載のインクジェットプリンタ。
【請求項４】
前記インクジェット記録ヘッドは、用紙搬送方向に垂直となる用紙幅を網羅できる幅を有していることを特徴とする請求項１、２、又は３に記載のインクジェットプリンタ。
【請求項５】
前記画像書込手段は、少なくともイエロー（Ｙ）、マゼンタ（Ｍ）、シアン（Ｃ）を含む色のインクを噴射することを特徴とする請求項１から４のいずれか１項に記載のインクジェットプリンタ。
【請求項６】
前記画像書込手段の少なくとも一部が、付勢部材により用紙保持ドラムの外周面に摺動可能に当接し、前記インクジェット記録ヘッドの先端と前記用紙保持ドラムの外周面との間隔が所定間隔に保持されることを特徴とする請求項１から５のいずれか１項に記載のインクジェットプリンタ。
【請求項７】
前記インク定着手段は、画像が書き込まれた用紙の表面をレーザー光にて走査・照射してインクを定着させることを特徴とする請求項１から６のいずれか１項に記載のインクジェットプリンタ。
【請求項８】
前記用紙保持ドラムは、外周長が用紙の搬送方向での長さより大きいことを特徴とする請求項１から７のいずれか１項に記載のインクジェットプリンタ。
【請求項９】
前記用紙保持ドラムの外周面の周囲に、前記用紙保持手段、前記画像書込手段、前記インク定着手段及び前記用紙分離手段をそれぞれ配置したことを特徴とする請求項１から８のいずれか１項に記載のインクジェットプリンタ。
【請求項１０】
前記用紙保持ドラムの回転方向順に、前記画像書込手段、前記インク定着手段、前記用紙分離手段の順で配置したことを特徴とする請求項９に記載のインクジェットプリンタ。
【請求項１１】
原稿の画像を読み取った画像データをインクジェットプリンタで画像形成するデータに画像処理する画像処理手段を備えたことを特徴とする請求項１から１０のいずれか１項に記載のインクジェットプリンタ。
【請求項１２】
原稿より画像データを読み取る原稿読取手段を備えたことを特徴とする請求項１から１１のいずれか１項に記載のインクジェットプリンタ。
【請求項１３】
画像形成条件を設定する操作部を備えたことを特徴とする請求項１から１２のいずれか１項に記載のインクジェットプリンタ。
【請求項１４】
用紙にインクを噴射して画像を形成するインクジェットプリンタの画像形成方法において、
回転して用紙を搬送する用紙保持ドラムの外周面の所定位置に用紙を保持する第１工程と、
前記用紙保持ドラムに保持された用紙にインクジェット記録ヘッドにより画像を書き込む第２工程と、
前記書き込まれた用紙のインクを定着させる第３工程と、
定着した用紙を前記用紙保持ドラムより分離する第４工程と、
を有し、前記用紙保持ドラムの回転により前記第１工程から第４工程を順次行い画像を形成することを特徴とするインクジェットプリンタの画像形成方法。
【発明の詳細な説明】
【０００１】
【発明の属する技術分野】
本発明は、インクジェットプリンタ及びインクジェットプリンタの画像形成方法に関し、特に、用紙にインクを噴射させて画像を形成するインクジェットプリンタ及びインクジェットプリンタの画像形成方法に関する。
【０００２】
【従来の技術】
近年、インクジェット記録方式は簡便・安価に画像を作成できるため、写真、各種印刷、マーキング、カラーフィルター等の特殊印刷など、様々な印刷分野に応用されてきている。特に、微細なドットを噴射、制御する記録装置や、色再現域、耐久性、噴射適性等を改善したインク及びインクの吸収性、色材の発色性、表面光沢などを飛躍的に向上させた専用紙を用い、銀塩写真に匹敵する画質を得ることも可能となっている。今日のインクジェット記録方式の画質向上は、記録装置、インク、専用紙の全てが揃って初めて達成されている。
【０００３】
しかしながら、専用紙を必要とするインクジェットシステムは、用紙が制限されること、用紙のコストアップが問題となる。そこで、専用紙と異なる用紙へインクジェット方式により記録する試みが多数なされている。具体的には、室温で固形のワックスインクを用いる相変化インクジェット方式、速乾性の有機溶剤を主体としたインクを用いるソルベント系インクジェット方式や、記録した後、紫外線（ＵＶ）光により架橋させるＵＶインクジェット方式などである。
【０００４】
中でも、ＵＶインクジェット方式は、ソルベント系インクジェット方式に比べ比較的低臭気であり、速乾性、インク吸収性の無い記録媒体への記録が出来る点で、近年注目されつつある。
【０００５】
ここで、インクジェット記録ヘッドより紫外線硬化型インクを用紙Ｐに噴射して用紙に印刷を行うインクジェットプリンタの従来例について説明する。図６は従来例のインクジェットプリンタの構成を示す斜視図である。図６に示すように、インクジェット記録ヘッド１００より噴射する紫外線硬化型インクが用紙に着弾する位置に、紫外線を追随して照射する紫外線照射装置を設け、紫外線照射装置（インク定着手段ともいう）は、紫外線を発生させる紫外線発生部１０１と、この発生部より発生した紫外線をインクジェット記録ヘッドの近傍近くまで導く光ファイバー１０２とを有して、この光ファイバーの先端より紫外線を照射し、紫外線硬化型インクを硬化させるインクジェットプリンタが知られている（特許文献１）。
【０００６】
【特許文献１】
特開２００２−１４４５５３号公報
【０００７】
【発明が解決しようとする課題】
しかしながら、インクジェット記録ヘッドより離れた位置にある紫外線照射装置より光ファイバーでインクジェット記録ヘッドまで導くと構造が複雑となり、また、用紙を搬送ローラ対で把持して搬送させ、インクジェット記録ヘッドよりインクを用紙に噴射させて画像を形成すると、インクジェット記録ヘッドの先端と用紙の表面との間隔の変動等により良好な画質が得られにくいといった問題点がある。
【０００８】
本発明は、上記の課題に鑑みなされたもので、第１発明の目的は、簡易な構造で用紙にインクを噴射しインクを定着させて高画像が得られるインクジェットプリンタを提供することにあり、また、第２発明の目的は、簡易な方法で用紙にインクを噴射しインクを定着させて高画像が得られるインクジェットプリンタの画像形成方法を提供することにある。
【０００９】
【課題を解決するための手段】
上記の第１発明の目的は下記の手段により達成できる。
【００１０】
（１）用紙にインクを噴射して画像を形成するインクジェットプリンタにおいて、前記用紙が外周面に保持された用紙保持ドラムを回転して用紙を搬送する用紙保持ドラム手段と、前記用紙保持ドラムの所定位置に前記用紙を保持する用紙保持手段と、前記用紙保持ドラムに保持された用紙にインクジェット記録ヘッドによりインクを噴射して画像を書き込む画像書込手段と、前記書き込まれた用紙のインクを定着させるインク定着手段と、定着した用紙を前記用紙保持ドラムより分離する用紙分離手段と、を備え、用紙に画像を形成することを特徴とするインクジェットプリンタ。
【００１１】
上記の第２発明の目的は下記の手段により達成できる。
（２）用紙にインクを噴射して画像を形成するインクジェットプリンタの画像形成方法において、回転して用紙を搬送する用紙保持ドラムの外周面の所定位置に用紙を保持する第１工程と、前記用紙保持ドラムに保持された用紙にインクジェット記録ヘッドにより画像を書き込む第２工程と、前記書き込まれた用紙のインクを定着させる第３工程と、定着した用紙を前記用紙保持ドラムより分離する第４工程と、を有し、前記用紙保持ドラムの回転により前記第１工程から第４工程を順次行い画像を形成することを特徴とするインクジェットプリンタの画像形成方法。
【００１２】
【発明の実施の形態】
本発明に係わる実施の形態を図面に従って説明するが、本発明はこれに限定されるものではない。図１は実施の形態に係わるインクジェットプリンタの全体構成を示す断面図であり、図２は図１における画像形成部の構成を示す断面図である。
【００１３】
図１および図２に示すように、インクジェットプリンタは、インクジェットプリンタ本体（以下、単にプリンタ本体ともいう）の上部に自動原稿送り装置１を有するとともに、インクジェットプリンタ本体内にて原稿画像を読み取る画像読取手段２、画像形成部３、用紙収納部４、給紙部５、反転排紙・再給紙部６および反転搬送搬送手段であるＡＤＵ８、排紙トレイ６４等で構成されている。
【００１４】
自動原稿送り装置１は、原稿を一枚ずつ送り出し、原稿を画像読取位置へと搬送し、原稿画像の読み取りが終わった原稿を所定の場所に排紙処理する装置である。この自動原稿送り装置１は、原稿を載置する原稿載置台１１、原稿載置台１１上に載置された原稿を分離する原稿分離手段１２、原稿分離手段１２で分離された原稿を搬送する複数のローラを含む原稿搬送手段１３、原稿搬送手段１３で搬送された原稿を排紙する原稿排紙手段１４、原稿排紙手段１４によって排紙された原稿を載置する原稿排紙台１５、および、原稿の両面の画像を読み取る際に原稿の表裏を反転させるためのローラ対からなる原稿反転手段１６を有している。原稿載置台１１上に載置された複数枚の原稿（不図示）が、原稿分離手段１２によって１枚づつ分離され、原稿搬送手段１３によって画像読取位置に向けて搬送される。
【００１５】
原稿読取位置は、原稿搬送手段１３の下方部に設けられており、そこで、スリット２１を通して原稿の画像が読み取られるようになっている。画像が読み取られた原稿は、原稿排紙手段１４によって原稿排紙台１５上へと排紙される。一方、原稿の両面の画像を読み取る際には、一度片面の画像が読み取られた原稿を原稿反転手段１６に導き、原稿の後端がローラに加えられた状態においてローラを逆回転させて原稿の表裏を反転し、再度、原稿搬送手段１３で搬送することにより、原稿読取位置において他の面（第２面）の画像を読み取ることができる。
【００１６】
このような工程が原稿載置台１１上に載置された原稿の枚数分繰り返される。また、自動原稿送り装置１は可倒式に構成されており、この自動原稿送り装置１を起こして原稿台ガラス２２上を開放することにより、原稿台ガラス２２上に原稿を直接載置し、複写することができるように構成してある。
【００１７】
また、画像読取手段２は、原稿の画像を読み取って画像データを得るための手段であり、スリット２１を介して原稿を照射するランプ２３１と原稿からの反射光を反射させる第１ミラー２３２とを一体化してなる第１ミラーユニット２３と、第１ミラー２３２からの光を反射させる第２ミラー２４１と第３ミラー２４２とを一体化してなる第２ミラーユニット２４と、第２ミラーユニット２４からの反射光を、後述する撮像素子（以下、ＣＣＤという）２６に結像させる結像レンズ２５、および、結像レンズ２５によって結像された光像を光電変換して画像情報を得るライン状のＣＣＤ２６を有している。
【００１８】
なお、自動原稿送り装置１によって送られている原稿を、画像読取手段２で読み取る態様においては、第１ミラーユニット２３及び第２ミラーユニット２４は、図示の如き位置に固定されている。また、原稿台ガラス２２上に直接載置された原稿の画像を読み取る態様においては、第１ミラーユニット２３と第２ミラーユニット２４とを、光路長を保ちながら、原稿台ガラス２２に沿って移動させることにより行う。
【００１９】
また、画像処理手段Ｓは、原稿の画像を読み取った画像データをインクジェットプリンタで画像形成するに最適なようにデータを画像処理する。なお、画像処理されたデータは圧縮して一旦メモリに蓄積される。
【００２０】
また、用紙収納部４には、用紙を積層状態で収納する収納容器４０５、４１５、４２５と給紙ユニット４０６、４１６、４２６とを一体的に構成した給紙トレイ４００、４１０、４２０を上下方向に配列してあり、給紙ユニット４０６、４１６、４２６は、給紙ローラ４０７、４１７、４２７と重層防止用の分離ローラ４０８、４１８、４２８とを有している。
【００２１】
また、給紙部５は、給紙トレイのそれぞれから画像形成部３へと用紙を搬送するための手段として、搬送ローラ対（以下、単に搬送ローラともいう）Ｒ１、Ｒ２、Ｒ３、Ｒ４、Ｒ５、Ｒ６を有している。ＰＳはフォトセンサで、例えば、給紙トレイ４００（４１０、４２０）から給紙ローラ４０７（４１７、４２７）により給紙された用紙が分離ローラ４０８（４１８、４２８）の下流に設けてある搬送ローラ対Ｒ１（Ｒ２、Ｒ３）に到達したか否かを検知する機能を有し、搬送ローラ対Ｒ１の直前の位置に配設してある。５５は搬送ローラＲ４の下流に設けた搬送ローラで、ＡＤＵ８を介して送り出される用紙と、例えば、給紙トレイ４００から給紙される用紙との搬送路合流部に設けてあり、５６は搬送ローラ、５７はレジストローラである。
【００２２】
また、画像形成部３は、用紙が外周面に保持された用紙保持ドラム３２を回転して用紙を搬送する用紙保持ドラム手段Ａ、用紙保持ドラム３２の所定位置に用紙を保持する用紙保持手段Ｂ、用紙保持ドラム３２に保持された用紙にインクジェット記録ヘッド３１よりインクを噴射して画像を書き込む画像書込手段Ｃ、書き込まれた用紙のインクを定着させるインク定着手段Ｄ、および定着した用紙を用紙保持ドラム３２より分離する用紙分離手段Ｅ等をそれぞれ有し、用紙にインクを噴射して画像を形成する。
【００２３】
用紙保持ドラム手段Ａは、用紙保持ドラム３２の外周に用紙Ｐが保持できるようになっており、モータＭ（図２参照）が回転すると、図２において時計方向（矢印方向）に回転する。用紙保持ドラム３２の回転に連動して、用紙Ｐの用紙保持ドラム３２への保持、用紙Ｐへのインクの噴射による画像書き込み、インクの定着、用紙Ｐの用紙保持ドラム３２からの分離等の動作等が行われるようになっている。なお、用紙保持ドラム３２の外周面の全周長は、搬送方向での用紙Ｐの全長より大きくなっており、この実施の形態では、用紙保持ドラム３２の円周方向の長さは、Ａ３判サイズの用紙が長手方向でカバーできる長さである４２０ｍｍ以上、４５０ｍｍ以下となっている。
【００２４】
また、用紙保持手段Ｂは、用紙保持ドラム３２の外周面の所定位置に、用紙Ｐを位置決め保持する。なお、用紙保持ドラム３２には基準マーク３２２が設けられ、一方、インクジェットプリンタ本体には用紙保持ドラム３２の基準指標３２３が設けられている。用紙保持ドラム３２の初期位置は基準マーク３２２と基準指標３２３とが一致した位置である。
【００２５】
用紙保持手段Ｂについてさらに詳しくは、ソレノイドＳＯＬ１がＯＮすると、ベルトローラ３７、３８に張架された揺動ベルト３９がベルトローラ３７の回転軸を支点に点線（図２参照）で示した位置に回動し揺動ベルト３９を用紙保持ドラム３２面へ押しつける。揺動ベルト３９を用紙保持ドラム３２面へ押しつけた状態で、用紙Ｐが搬送されると、用紙先端が揺動ベルト３９と用紙保持ドラム３２に挟まれ矢印方向に搬送される。なお、ソレノイドＳＯＬ１がＯＦＦすると揺動ベルト３９はバネ３９２の付勢により実線の位置に戻され、用紙保持ドラム３２より離れるようになっている。
【００２６】
また、用紙保持ドラム３２は、一端が図示しない遮蔽蓋で塞がれた中空のパイプ軸３４３に挿着・固定されており、パイプ軸３４３は後述する用紙保持ドラム３２の中空部で空気流通用の開口溝３４５を有し、インクジェットプリンタ本体に取り付けられた図示しない軸受を介して支持されている。用紙保持ドラム３２の中空部は外周面には複数個の吸引穴３２１があけられている。パイプ軸３４３は不図示の吸引ファンに接続され、用紙保持時においては吸引穴３２３で用紙Ｐが吸引され用紙保持ドラム３２に巻き付き保持される。
【００２７】
また、画像書込手段Ｃは、圧縮して記憶された画像データを伸張し画像処理されたデータに基づき、インクを用紙に噴射して画像を形成する。インクジェット記録ヘッド３１は、バネ３１２の付勢により用紙保持ドラム３２の外周面に沿って回転するコロ３１１を介して用紙保持ドラム３２の外周面に当接している。インクジェット記録ヘッド３１の先端と用紙保持ドラム３２の外周面との間隔が実施の形態では１ｍｍ〜１．５ｍｍに保たれるようになっている。なお、インクジェット記録ヘッド３１を用紙保持ドラム３２に保持された用紙表面に沿ってコロを介して用紙保持ドラム３２に当接するようにすることもできる。又、インクジェット記録ヘッド３２には、イエロー（Ｙ）、マゼンタ（Ｍ）、シアン（Ｃ）、ブラック（Ｋ）のノズルがそれぞれ設けられている。インクジェット記録ヘッド３１は、長手方向で用紙幅を網羅できる幅を有しており、仮に、印字解像度が６００ｄｐｉ（ｄｏｔ／ｉｎｃｈ、但し１ｉｎｃｈは２．５４ｃｍ）で、用紙幅がＡ３判サイズが画像形成できる最大サイズとすれば、インクジェット記録ヘッド３１のノズル数は約７１９６ドット（適用幅：約３０４ｍｍ）となる。また、用紙保持ドラム３２の円周部分は４２０ｍｍ以上となる。
【００２８】
使用されるインクは、光硬化型のインクで、顔料の他に例えば高分子化合物の前駆体となるモノマー、光触媒反応により該モノマーの架橋、重合反応を進行させる光重合開始剤、光重合促進剤等を含んで組成され、紫外線等の光照射によりモノマーが架橋、重合することで硬化する性質を有する光硬化型インクを用いる。例えば、特公平５−５４６６７号、特開平６−２００２０４号、特表２０００−５０４７７８において、紫外線硬化型インクジェット用インクが開示されているが、紫外線硬化型に限らず、赤外線、可視光線の照射により硬化する性質のインクを用いるものとしてもよい。
【００２９】
また、インク定着手段Ｄは、画像が書き込まれた用紙の表面をレーザー光で走査・照射してインクを定着させる手段である。図３はインク定着手段の光学系を示す図である。図３に示すように、３５１はインク硬化光源、３５２はポリゴンミラー、３５３は光束のスリット、３５４はｆθレンズ、Ｍ１、Ｍ２、Ｍ３は反射鏡、３５５はシリンドリカルレンズ、３５６はコリメータレンズである。インク硬化光源３５１から放射された光はコリメータレンズ３５６で平行光となり、回転するポリゴンミラー３５２で反射走査され、スリット３５３で所定のスポット状に絞られて、ｆθレンズ３５４で光束が主走査方向で等速直線運動になるよう補正され、反射鏡Ｍ１、Ｍ２を介してシリンドリカルレンズ３５５でポリゴンミラー３５２の傾きによる光路誤差を補正している。反射鏡Ｍ３でスポット光は用紙保持ドラム３２上の用紙Ｐの上の画像に投下され画像は紫外光で定着される。なお、インクの光量調整は、光量モニタによるライン単位で行われる。すなわち、光束のスリット３５３によるスポット状の光は縦長に調整され、必要な光量が用紙に照射されるように調整される。なお、インクを硬化する波長領域の光源としては、特定の波長領域の例えば紫外線の場合、安定した照射エネルギーで発光する紫外線ランプ及び特定の波長の紫外線をスポット光にして透過するフィルターを備えて構成される。ここで、紫外光源としては、例えば水銀ランプ、メタルハライドランプ、エキシマーレーザー、紫外線レーザー、ブラックライト、ＬＥＤ（ｌｉｇｈｔ  ｅｍｉｔｔｉｎｇ  ｄｉｏｄｅ）等が適用可能である。特に波長２５０ｎｍのブラックライトが滲み防止、ドット径制御を効率良くおこなえ好ましい。
【００３０】
また、用紙分離手段Ｅは、図２において、用紙保持ドラム３２に巻き付いた用紙Ｐを分離する。ソレノイドＳＬＯ２がＯＮすると分離爪３６の先端が用紙保持ドラム３２に当接する。分離爪３６が用紙保持ドラム３２に当接した状態で、用紙が保持された用紙保持ドラム３２が時計方向（矢印方向）に回転すると、用紙Ｐは先端により用紙保持ドラム３２から剥がされて分離する。なお、用紙の分離が終了すると、ソレノイドＳＬＯ２がＯＦＦし、分離爪３６はバネ３６１の付勢により元の位置（実線）に戻される。
【００３１】
ここで、実施の形態に係わるインクジェットプリンタの主動作について、図１から図５を参照して説明する。図４はインクジェットプリンタの各工程を示す説明図である。図４（ａ）は用紙保持ドラムが基準マーク３２２と基準指標３２３と一致する初期位置にある状態を示す図、図４（ｂ）は用紙Ｐの先端が用紙保持ドラムに保持される位置にある状態を示す図、図４（ｃ）は用紙Ｐの先端が画像を書き込み始める位置にある状態を示す図、図４（ｄ）は用紙Ｐの先端がインクの定着位置にある状態を示す図、図４（ｅ）は用紙の先端が用紙保持ドラムより分離を始める位置にある状態を示す図である。また、図５は、インクジェットプリンタの動作工程を示すタイムチャート図である。さらに詳しくは、用紙保持、画像書込、インク定着、用紙分離の各動作工程のタイムチャートを模式的に示したもので、この実施の形態では用紙１枚が用紙保持ドラムの２回転で行われるようになっているが、これに限定されるものではない。
【００３２】
インクジェットプリンタの主動作について説明すると、最初に、図４（ａ）に示すように、原稿を搬送し画像データを読み取り画像処理し、用紙収納部４より用紙Ｐを搬送しレジストローラ５７で一旦停止させる。
【００３３】
図４（ｂ）に示すように、揺動ベルト３９が回動し実線で示した位置に移動し、一方、用紙Ｐの先端が用紙保持ドラム３２に設けた基準マーク３２２と一致するように同期がとられる。用紙Ｐは先端部から用紙保持ドラム３２に保持される。なお、用紙の保持が終わると揺動ベルト３８は元の位置に戻るように制御されている（第１工程）。
【００３４】
図４（ｃ）に示すように、保持された用紙Ｐは用紙保持ドラム３２と共に時計方向に回転し、インクジェット記録ヘッド３１のインクの噴射と同期がとられ、Ｙ、Ｍ、Ｃ、Ｋ各色に対応して画像書き込みがされる。すなわち、画像処理されたデータによって各色画像処理信号となり、書込み指令によって、インクジェット記録ヘッド３１からインクが噴射し画像書き込みを行う（第２工程）。
【００３５】
図４（ｄ）に示すように、インク定着手段Ｄで紫外線によってインクは用紙に硬化・定着される（第３工程）。
【００３６】
図４（ｅ）に示すように、分離爪３６が用紙保持ドラム３２の外周面に当接し、用紙Ｐが用紙保持ドラム３２より分離される（第４工程）。
【００３７】
図１に示すように、分離された用紙Ｐはさらに搬送され、搬送ローラ５９によって搬送され反転排紙・再給紙部６へ送られる。反転排紙・再給紙部６は、印字・定着後の用紙を反転排紙したり、両面画像形成モードに従って用紙を再給紙するための領域であり、反転排出ローラ６１により排出された用紙を排紙ローラ６３を経てそのまま機外へ排出する場合と、表裏反転させた後に排出する場合と、用紙の裏面（第２面）に画像形成するために当該用紙を前記レジストローラ５７に向けて再給紙する場合とにおいて搬送路を切り替える切替手段６２を有している。
【００３８】
画像形成された用紙をそのまま、即ち、画像面を下側にして排出する場合は、切替手段６２を図において一点鎖線で示す位置に位置させ、また、画像形成された用紙の表裏を反転させて排出する場合は、切替手段６２を図において実線で示す位置に位置させ、反転排出ローラ６１により搬送される用紙を、搬送ローラ６００、６１０、６２０が付設されている搬送路中に送り込み、後端が前記搬送ローラ６００の手前位置に到達するタイミングで前記ローラ群の作動を停止させ、しかる後、搬送ローラ６００の回転方向を前記と逆方向に回転せしめることにより、切替手段６２の左側を通過せしめて機外の排紙トレイ６４へと排出する。
【００３９】
更に、用紙の第２面に引き続き画像を形成するモードの場合は、切替手段６２を図において実線で示す位置に位置させ、反転排出ローラ６１により搬送される用紙を、排紙モータで駆動される反転排紙・再給紙部６の各搬送ローラを介して前記ＡＤＵ８に送り込み、用紙を反転させた後、レジストローラ５７に向けて送り出し、前記した画像形成と同じプロセスにより処理した後、前記排紙トレイ６４に排出する。
【００４０】
ＡＤＵ８は、前述の如く、用紙の表裏反転を行うとともに用紙の循環搬送路（レジストローラ５７〜揺動ベルト３９〜反転排紙・再給紙部６〜ＡＤＵ８〜レジストローラ５７に至る循環路）の一部を形成する反転搬送手段であり、複数のローラ対（以下、単に搬送ローラともいう）８００、８１０、８２０、８３０、８４０、８５０を有する。
【００４１】
搬送ローラの内、参照符号８００を付したローラは、図示しないモータにより正逆方向に駆動制御されるローラであり、他のローラと区別して以下、ＡＤＵ反転ローラという。
【００４２】
第２面に画像形成が予定されている用紙の特にＡＤＵ内における挙動は、反転排紙・再給紙部６のローラ群（６００、６１０、６２０）の駆動作用で搬送路に沿って進んだ後、前記ＡＤＵ反転ローラ８００の駆動作用で同方向への移動を継続し、後端部が前記ＡＤＵ反転ローラ８００に挟持されている状態で、前記ＡＤＵ反転ローラの回転停止動作に伴って移動を停止し、その後、前記回転方向と逆方向に回転される前記ＡＤＵ反転ローラ８００の駆動力を受けてスイッチバックし、分岐点で右側の搬送路に入り、表裏反転された状態で搬送ローラ８１０ないし８５０の駆動作用により水平の搬送路を右に移動し、上方に移動した後、搬送ローラ５５、５６を経て、前記レジストローラ５７に到達する。その後、前記した画像形成と同じプロセスにより処理した後、前記排紙トレイ６４に排出する。
【００４３】
上記のように、用紙反転、再給紙（両面印字）等の画像形成手順を設定するためには操作手段である操作パネルによって行われる。
【００４４】
なお、上記の実施の形態では、原稿を読み取る画像読取手段２を設けた例について説明したが、これに限定されるものではなく、例えば、外部で原稿の読み取りを行い、その画像データをインクジェットプリンタが受信して、画像を形成するようにしてもよい。
【００４５】
また、上記の実施の形態では、用紙の用紙保持ドラム３２への保持として、不図示の吸引ファンによる吸引について説明したが、これに限定されるものではなく、例えば、帯電器と除電器を用いた静電吸着により行うようにしてもよい。
【００４６】
また、上記の実施の形態では、紫外線硬化型インクを使用するインクジェット方式で説明したが、この紫外線硬化型に限らず、赤外線、可視光線の照射により硬化する性質のインクとそのインクに適合した光源を使用してもよい。
【００４７】
【発明の効果】
以上のように構成したので下記のような効果を奏する。
【００４８】
請求項１に記載の発明によれば、用紙保持ドラム手段、用紙保持手段、画像書込手段、インク定着手段、用紙分離手段をそれぞれ設けたので、簡易な構造で用紙にインクを噴射しインクを定着させて高画像が得られるインクジェットプリンタとなった。
【００４９】
請求項２に記載の発明によれば、用紙を用紙保持ドラムの外周面に静電により吸着保持、または、用紙を用紙保持ドラムの外周面に設けた吸引穴より用紙を吸引して保持するので、簡易な機構で精度よく用紙を用紙保持ドラムに保持できるようになった。
【００５０】
請求項３に記載の発明によれば、光硬化型のインクを用紙に噴射して画像を書き込むので、インクの定着処理がしやすくなった。
【００５１】
請求項４に記載の発明によれば、インクジェット記録ヘッドは、用紙搬送方向に垂直となる用紙幅を網羅できる幅を有しているので、インクジェット記録ヘッドが固定で用紙幅の全域で画像が書き込まれるようになった。
【００５２】
請求項５に記載の発明によれば、少なくともイエロー（Ｙ）、マゼンタ（Ｍ）、シアン（Ｃ）を含む色の画像を形成することができるようになった。
【００５３】
請求項６に記載の発明によれば、付勢部材により用紙保持ドラムの外周面に摺動可能に当接し、インクジェット記録ヘッドの先端と用紙保持ドラムの外周面との間隔が所定間隔に保たれるので、前記間隔の精度が出しやすく、良好な画質が得られるようになった。
【００５４】
請求項７に記載の発明によれば、画像が書き込まれた用紙の表面をレーザー光で走査・照射してインクを定着させるので、簡易な構造でインクの定着が確実にできるようになった。
【００５５】
請求項８に記載の発明によれば、用紙保持ドラムは外周長が用紙の搬送方向での長さより大きいので、用紙の搬送方向の全域にわたり画像を形成させることができるようになった。
【００５６】
請求項９、１０に記載の発明によれば、用紙保持ドラムの外周面の周囲に、用紙保持手段、画像書込手段、インク定着手段及び前記用紙分離手段をそれぞれ配置したので、各手段がコンパクトに配置でき、また、効率よく動作が行われるようになった。
【００５７】
請求項１１に記載の発明によれば、インクジェットプリンタ内で、原稿を読みとったデータを画像処理できるようになった。
【００５８】
請求項１２に記載の発明によれば、インクジェットプリンタ内で、原稿の読み取りができるようになった。
【００５９】
請求項１３に記載の発明によれば、インクジェットプリンタ内で、操作部により画像形成条件を設定することができるようになった。
【００６０】
請求項１４に記載の発明によれば、用紙保持ドラムの回転により第１工程から第４工程を順次行い画像を形成するので、各工程の流れが円滑で、またインクジェットプリンタの駆動制御がし易くなった。
【図面の簡単な説明】
【図１】実施の形態に係わるインクジェットプリンタの全体構成を示す断面図である。
【図２】図１における画像形成部の構成を示す断面図である。
【図３】インク定着手段の光学系を示す図である。
【図４】インクジェットプリンタの各工程を示す説明図である。
【図５】インクジェットプリンタの動作工程を示すタイムチャート図である。
【図６】従来例のインクジェットプリンタの構成を示す斜視図である。
【符号の説明】
Ａ  用紙保持ドラム手段
Ｂ  用紙保持手段
Ｃ  画像書込手段
Ｄ  インク定着手段
Ｅ  用紙分離手段
３１  インクジェット記録ヘッド
３２  用紙保持ドラム
【図１】
2004174742.tif 000003
【図２】
2004174742.tif 000004
【図３】
2004174742.tif 000005
【図４】
2004174742.tif 000006
【図５】
2004174742.tif 000007
【図６】
2004174742.tif 000008